(57)【要約】【課題】画像ファイルを構成するページ画像にユーザーによる検索に役立つ検索情報を付加するためのクラウドサーバー及び画像ファイル記憶検索システムに関わる。【解決手段】該画像ファイル記憶検索システムにおいて、ユーザー端末の入力表示部は、ユーザーに現在表示されたページ画像に検索情報を付加させるためのページ画像通知画面を表示し、ユーザー側通信部は、検索情報を現在表示されたページ画像に対応付けてクラウドサーバーに送信し、クラウドサーバーの付加制御部は、受信された検索情報を対応のページ画像に付加する。【選択図】図１
2015032309.tif 000002
【特許請求の範囲】
【請求項１】
複数のページを有する画像ファイルに検索情報を付加し、且つ該検索情報に基づいて検索を行う画像ファイル記憶検索システムであって、
前記複数のページに対応する複数のページ画像を含む前記画像ファイルを記憶するためのクラウドサーバーと、
ネットワークを介して前記クラウドサーバーとそれぞれ通信可能に接続されている少なくとも１つのユーザー端末と、を備えており、
前記クラウドサーバーは、ページ画像記憶部、検索情報記憶部、付加制御部及びサーバー側通信部を含み、
前記ユーザー端末は、画面記憶部、ユーザー側通信部及び入力表示部を含み、
前記ページ画像記憶部は、少なくとも前記ページ画像を記憶し、
前記サーバー側通信部は、少なくとも前記ページ画像を前記ユーザー端末に送信し、
前記ユーザー側通信部は、少なくとも前記クラウドサーバーから前記ページ画像を受信し、
前記画面記憶部は、少なくともページ画像通知画面及び検索情報付加用入力画面を記憶し、
前記入力表示部は、少なくとも現在の前記ページ画像の内容をユーザーに知らせるように前記ページ画像通知画面を表示し、ユーザーが前記内容に基づいて前記検索情報を入力するように前記検索情報付加用入力画面を表示し、
前記ユーザー側通信部は、前記検索情報を現在の前記ページ画像に対応付けて前記クラウドサーバーに送信し、
前記サーバー側通信部は、前記ユーザー端末から前記検索情報を受信し、
前記付加制御部は、前記検索情報を対応付けられた前記ページ画像に付加し、該検索情報を前記ページ画像に対応付けて記憶するように前記検索情報記憶部を制御する
ことを特徴とする画像ファイル記憶検索システム。
【請求項２】
請求項１に記載の画像ファイル記憶検索システムであって、
前記ページ画像記憶部は、前記ページ画像の属性を表すページ属性情報をさらに記憶し、
前記ユーザー側通信部は、前記ページ画像を受信するとともに、前記クラウドサーバーから前記ページ属性情報を受信し、前記検索情報を送信するとともに、対応の前記ページ属性情報を前記クラウドサーバーに送信し、
前記付加制御部は、前記ページ属性情報を前記検索情報に対応付けて記憶するように前記検索情報記憶部さらに制御する
ことを特徴とする画像ファイル記憶検索システム。
【請求項３】
請求項２に記載の画像ファイル記憶検索システムであって、
前記検索情報は、第一類検索情報としてのキーワード、第二類検索情報としての設問及び回答、第三類検索情報としてのコメント、第四類検索情報としての音声、第五類検索情報としての画像、のうちいずれか１つ又は複数を含み、
第一類検索情報、第二類検索情報及び第三類検索情報は文字データであり、第四類検索情報は音声データであり、第五類検索情報は画像データである
ことを特徴とする画像ファイル記憶検索システム。
【請求項４】
請求項３に記載の画像ファイル記憶検索システムであって、
前記ページ画像通知画面は、検索情報付加方式選択領域をさらに含み、該検索情報付加選択領域は、第一類検索情報付加ボタン、第二類検索情報付加ボタン、第三類検索情報付加ボタン、第四類検索情報付加ボタン及び第五類検索情報付加ボタンを含み、
前記画面記憶部は、少なくとも文字入力選択ボタンを含む付加方式選択画面、検索情報付加用入力画面としての文字入力画面、検索情報付加用入力画面としての音声入力画面、検索情報付加用入力画面としての画像入力画面、をさらに記憶し、
第一類検索情報付加ボタンが選択された場合、前記入力表示部には、ユーザーに付加方式を選択させるための前記付加方式選択画面が表示され、前記文字入力選択ボタンが選択されたとき、前記入力表示部には、ユーザーに文字データを前記第一類検索情報として入力させるための前記文字入力画面が表示され、
第二類検索情報付加ボタンが選択された場合、前記入力表示部には、ユーザーに付加方式を選択させるための前記付加方式選択画面が表示され、前記文字入力選択ボタンが選択されたとき、前記入力表示部には、ユーザーに文字データを前記第二類検索情報として入力させるための前記文字入力画面が表示され、
第三類検索情報付加ボタンが選択された場合、前記入力表示部には、ユーザーに付加方式を選択させるための前記付加方式選択画面が表示され、前記文字入力選択ボタンが選択されたとき、前記入力表示部には、ユーザーに文字データを前記第三類検索情報として入力させるための前記文字入力画面が表示され、
第四類検索情報付加ボタンが選択された場合、前記入力表示部には、ユーザーに音声データを前記第四類検索情報として入力させるための音声入力画面が表示され、
第五類検索情報付加ボタンが選択された場合、前記入力表示部には、ユーザーに画像データを前記第五類検索情報として入力させるための画像入力画面が表示される
ことを特徴とする画像ファイル記憶検索システム。
【請求項５】
請求項４に記載の画像ファイル記憶検索システムであって、
音声認識部をさらに備えており、
前記付加方式選択画面はさらに音声入力選択ボタンを含み、
前記第一類検索情報付加ボタン及び前記音声入力選択ボタンが選択された場合、前記入力表示部にはユーザーに音声データを入力させるための前記音声入力画面が表示され、前記音声認識部は該音声データを文字データとして認識し、且つ該文字データを前記第一類検索情報とし、
前記第二類検索情報付加ボタン及び前記音声入力選択ボタンが選択された場合、前記入力表示部にはユーザーに音声データを入力させるための前記音声入力画面が表示され、前記音声認識部は該音声データを文字データとして認識し、且つ該文字データを前記第二類検索情報とし、
前記第三類検索情報付加ボタン及び前記音声入力選択ボタンが選択された場合、前記入力表示部にはユーザーに音声データを入力させるための前記音声入力画面が表示され、前記音声認識部は該音声データを文字データとして認識し、且つ該文字データを前記第三類検索情報とする
ことを特徴とする画像ファイル記憶検索システム。
【請求項６】
請求項４に記載の画像ファイル記憶検索システムであって、
画像認識部をさらに備えており、
前記付加方式選択画面はさらに画像入力選択ボタンを含み、
前記第一類検索情報付加ボタン及び前記画像入力選択ボタンが選択された場合、前記入力表示部にはユーザーに画像データを入力させるための前記画像入力画面が表示され、前記画像認識部は該画像データを文字データとして認識し、且つ該文字データを前記第一類検索情報とし、
前記第二類検索情報付加ボタン及び前記画像入力選択ボタンが選択された場合、前記入力表示部にはユーザーに画像データを入力させるための前記画像入力画面が表示され、前記画像認識部は該画像データを文字データとして認識し、且つ該文字データを前記第二類検索情報とし、
前記第三類検索情報付加ボタン及び前記画像入力選択ボタンが選択された場合、前記入力表示部にはユーザーに画像データを入力させるための前記画像入力画面が表示され、前記画像認識部は該画像データを文字データとして認識し、且つ該文字データを前記第三類検索情報とする
ことを特徴とする画像ファイル記憶検索システム。
【請求項７】
請求項５又は６に記載の画像ファイル記憶検索システムであって、
前記クラウドサーバーは検索部をさらに含み、
前記画面記憶部は検索情報検索用入力画面をさらに記憶し、
前記入力表示部は、ユーザーに検索用情報を入力させるための前記検索情報検索用入力画面をさらに表示し、
前記ユーザー側通信部は前記検索用情報を前記クラウドサーバーに送信し、
前記サーバー側通信部は前記ユーザー端末から前記検索用情報を受信し、
前記検索部は前記検索情報記憶部を検索して、前記検索用情報に一致する前記検索情報及びそれに対応する前記ページ属性情報を取得し、該ページ属性情報に基づいて前記ページ画像記憶部を検索して、対応の前記ページ画像を取得する
ことを特徴とする画像ファイル記憶検索システム。
【請求項８】
請求項７に記載の画像ファイル記憶検索システムであって、
前記検索用情報は、第一類検索用情報としてのキーワード、第二類検索用情報としての設問及び回答、第三類検索用情報としてのコメント、第四類検索用情報としての音声、第五類検索用情報としての画像、のうちいずれか１つ又は複数を含み、
第一類検索用情報、第二類検索用情報及び第三類検索用情報は文字データであり、第四類検索用情報は音声データであり、第五類検索用情報は画像データであり、
前記画面記憶部は、第一類検索用情報入力ボタン、第二類検索用情報入力ボタン、第三類検索用情報入力ボタン、第四類検索用情報入力ボタン、及び第五類検索用情報入力ボタンを含む検索方式選択画面、少なくとも文字入力ボタンを含む入力方式選択画面、検索情報検索用入力画面としての文字入力画面、検索情報検索用入力画面としての音声入力画面、検索情報検索用入力画面としての画像入力画面をさらに記憶し、
第一類検索用情報入力ボタンが選択された場合、前記入力表示部には、ユーザーに入力方式を選択させるための前記入力方式選択画面が表示され、前記文字入力ボタンが選択されたとき、前記入力表示部には、ユーザーに文字データを前記第一類検索用情報として入力させるための前記文字入力画面が表示され、
第二類検索用情報入力ボタンが選択された場合、前記入力表示部には、ユーザーに入力方式を選択させるための前記入力方式選択画面が表示され、前記文字入力ボタンが選択されたとき、前記入力表示部には、ユーザーに文字データを前記第二類検索用情報として入力させるための前記文字入力画面が表示され、
第三類検索用情報入力ボタンが選択された場合、前記入力表示部には、ユーザーに入力方式を選択させるための前記入力方式選択画面が表示され、前記文字入力ボタンが選択されたとき、前記入力表示部には、ユーザーに文字データを前記第三類検索用情報として入力させるための前記文字入力画面が表示され、
第四類検索用情報入力ボタンが選択された場合、前記入力表示部には、ユーザーに音声データを前記第四類検索用情報として入力させるための前記音声入力画面が表示され、
第五類検索用情報入力ボタンが選択された場合、前記入力表示部には、ユーザーに画像データを前記第五類検索用情報として入力させるための前記画像入力画面が表示される
ことを特徴とする画像ファイル記憶検索システム。
【請求項９】
請求項８に記載の画像ファイル記憶検索システムであって、
前記入力方式選択画面は音声入力ボタンをさらに含み、
前記第一類検索用情報入力ボタン及び前記音声入力ボタンが選択された場合、前記入力表示部には、ユーザーに音声データを入力させるための前記音声入力画面が表示され、前記音声認識部は、該音声データを文字データとして認識し、該文字データを前記第一類検索用情報とし、
前記第二類検索用情報入力ボタン及び前記音声入力ボタンが選択された場合、前記入力表示部には、ユーザーに音声データを入力させるための前記音声入力画面が表示され、前記音声認識部は、該音声データを文字データとして認識し、該文字データを前記第二類検索用情報とし、
前記第三類検索用情報入力ボタン及び前記音声入力ボタンが選択された場合、前記入力表示部には、ユーザーに音声データを入力させるための前記音声入力画面が表示され、前記音声認識部は、該音声データを文字データとして認識し、該文字データを前記第三類検索用情報とする
ことを特徴とする画像ファイル記憶検索システム。
【請求項１０】
請求項８に記載の画像ファイル記憶検索システムであって、
前記入力方式選択画面は画像入力ボタンをさらに含み、
前記第一類検索用情報入力ボタン及び前記画像入力ボタンが選択された場合、前記入力表示部には、ユーザーに画像データを入力させるための前記画像入力画面が表示され、前記画像認識部は、該画像データを文字データとして認識し、該文字データを前記第一類検索用情報とし、
前記第二類検索用情報入力ボタン及び前記画像入力ボタンが選択された場合、前記入力表示部には、ユーザーに画像データを入力させるための前記画像入力画面が表示され、前記画像認識部は、該画像データを文字データとして認識し、該文字データを前記第二類検索用情報とし、
前記第三類検索用情報入力ボタン及び前記画像入力ボタンが選択された場合、前記入力表示部には、ユーザーに画像データを入力させるための前記画像入力画面が表示され、前記画像認識部は、該画像データを文字データとして認識し、該文字データを前記第三類検索用情報とする
ことを特徴とする画像ファイル記憶検索システム。
【請求項１１】
請求項１に記載の画像ファイル記憶検索システムであって、
前記ページ画像はスキャンアップロードデバイスを介して前記クラウドサーバーに送信され、
前記ユーザー端末は前記スキャンアップロードデバイスを含む
ことを特徴とする画像ファイル記憶検索システム。
【請求項１２】
ネットワークを介してユーザー端末に通信可能に接続され、複数のページを有する画像ファイルに検索情報を付加し、且つ該検索情報に基づいて検索を行うクラウドサーバーであって、
ページ画像記憶部、検索情報記憶部、付加制御部及びサーバー側通信部を備えており、
前記ページ画像記憶部は、少なくとも前記画像ファイルにおける前記複数のページに対応する複数のページ画像を記憶し、
前記サーバー側通信部は、少なくとも前記ページ画像を前記ユーザー端末に送信し、現在の前記ページ画像に対応する検索情報を前記ユーザー端末から受信し、
前記付加制御部は、前記検索情報を対応の前記ページ画像に付加し、該検索情報を前記ページ画像に対応付けて記憶するように前記検索情報記憶部を制御する
ことを特徴とするクラウドサーバー。
【請求項１３】
請求項１２に記載のクラウドサーバーであって、
検索部をさらに備えており、
前記ページ画像記憶部は、前記ページ画像の属性を表すページ属性情報をさらに記憶し、
前記検索情報記憶部は、前記ページ属性情報を前記検索情報に対応付けて記憶し、
前記サーバー側通信部が前記ユーザー端末から検索用情報を受信すると、前記検索部は、前記検索情報記憶部を検索して、前記検索用情報に一致する前記検索情報及びそれに対応する前記ページ属性情報を取得し、該ページ属性情報に基づいて前記ページ画像記憶部を検索して、対応の前記ページ画像を取得する
ことを特徴とするクラウドサーバー。
【発明の詳細な説明】
【技術分野】
【０００１】
本発明は、クラウドサーバー及び画像ファイル記憶検索システム、特に、ユーザーによる検索に役立つ検索情報を画像ファイルに付加するクラウドサーバー及び画像ファイル記憶検索システムに関わる。
【背景技術】
【０００２】
従来では、キーワードなどのテキスト情報を入力することにより、画像ファイルを直接検索することが可能であり、その検索過程は次の通りである：ユーザーは必要な画像ファイルをメモリーに保存する際、個々のニーズによりキーワードなどのテキスト情報を該画像ファイルに付加することができ、テキスト情報及び画像ファイルはその後別々にメモリーに保存される。これにより、ユーザーは、自ら付加したテキスト情報を入力するだけで、所定の画像ファイルを見つけ出すことができる。
【０００３】
上記画像ファイルの検索方法の場合、テキスト情報はユーザーが各自の言語使用習慣をもとに付加されているため、ユーザーは該テキスト情報を忘れてしまうことがほとんどなく、以前に処理した画像ファイルを探そうと思えば、すぐに検索結果を手に入れることができる。この画像ファイル検索方法には精度が高い、目的性が明確等のメリットがあり、より個性のある検索を実現することができる。
【０００４】
しかし、このような画像ファイル検索方法だと、画像ファイルしか特定できず、画像ファイルに含まれる具体的なページだけ特定することはできない。ユーザーが画像ファイルのあるページをプレビューしたい場合には、ひとまず画像ファイルを開いて二次検索又はサーチを行う必要があるため、検索効率を著しく改善することができない。また、二次検索又はサーチは、画像ファイルに記載された内容に基づいて行われるため、ユーザーが記載された具体的な内容を忘れてしまい、おおむねの意味しか思い出せない場合には、検索の精度に限らず、実験室検索又は個性化を実現することに役に立たない。
【発明の概要】
【発明が解決しようとする課題】
【０００５】
本発明は、上記課題を解決するためになされたものであり、その目的は、ユーザーが検索情報をもとに、この検索情報に対応するページ画像を画像ファイルから直接見つけ出すことを可能にしたクラウドサーバー及び画像ファイル記憶検索システムを提供することである。
【課題を解決するための手段】
【０００６】
本発明は、上記目的を実現するために、下記の構造を採用した。
【０００７】
本発明は、複数のページを有する画像ファイルに検索情報を付加し、且つ該検索情報に基づいて検索を行う画像ファイル記憶検索システムであって、複数のページに対応する複数のページ画像を含む画像ファイルを記憶するためのクラウドサーバーと、ネットワークを介してクラウドサーバーとそれぞれ通信可能に接続されている少なくとも１つのユーザー端末と、を備えており、クラウドサーバーは、ページ画像記憶部、検索情報記憶部、付加制御部及びサーバー側通信部を含み、ユーザー端末は、画面記憶部、ユーザー側通信部及び入力表示部を含み、ページ画像記憶部は、少なくともページ画像を記憶し、サーバー側通信部は少なくともページ画像をユーザー端末に送信し、ユーザー側通信部は少なくともクラウドサーバーからページ画像を受信し、画面記憶部は少なくともページ画像通知画面及び検索情報付加用入力画面を記憶し、入力表示部は、少なくとも現在のページ画像の内容をユーザーに知らせるようにページ画像通知画面を表示し、及びユーザーに内容に基づいて検索情報を入力させるように検索情報付加用入力画面を表示し、ユーザー側通信部は検索情報を現在のページ画像に対応付けてクラウドサーバーに送信し、サーバー側通信部はユーザー端末から検索情報を受信し、付加制御部は、検索情報を対応付けられたページ画像に付加し、検索情報をページ画像に対応付けて記憶するように検索情報記憶部を制御することを特徴とする画像ファイル記憶検索システムを提供したものである。
【発明の効果】
【０００８】
本発明のクラウドサーバー及び画像ファイル記憶検索システムの場合、ユーザー端末の入力表示部にはユーザーに現在表示されたページ画像に検索情報を付加させるためのページ画像通知画面が表示されており、ユーザー側通信部は、検索情報を現在表示されたページ画像に対応付けてクラウドサーバーに送信し、クラウドサーバーの付加制御部は、受信された検索情報を、対応のページ画像に付加する仕組みになっているため、ユーザーは検索する際に、予め入力された検索情報で画像ファイルを構成するページ画像を直接検索することができ、検索効率の向上に役立つことができる。
【０００９】
また、ユーザーがページ画像に付加した検索情報は自らの言葉の習慣に基づくものであるため、ユーザーは自ら付加した検索情報をなかなか忘れられず、よりオリジナルティを有する検索を実現することができる。
【図面の簡単な説明】
【００１０】
【図１】本発明の実施例１における画像ファイル記憶検索システムのブロック図を示す説明図。
【図２】本発明の実施例１におけるクラウドサーバーのブロック図を示す説明図。
【図３】本発明の実施例１におけるユーザー端末のブロック図を示す説明図。
【図４】本発明の実施例１における登録画面を示す説明図。
【図５】本発明の実施例１におけるページ画像通知画面を示す説明図。
【図６】本発明の実施例１における付加方式選択画面を示す説明図。
【図７】本発明の実施例１における文字記号入力画面を示す説明図。
【図８】本発明の実施例１における音声入力画面を示す説明図。
【図９】本発明のにおける認識結果確認画面を示す説明図。
【図１０】本発明の実施例１における画像入力画面を示す説明図。
【図１１】本発明の実施例１における設問と回答の表示領域を示す説明図。
【図１２】本発明の実施例１におけるコメント表示領域を示す説明図。
【図１３】本発明の実施例１における音声表示領域を示す説明図。
【図１４】本発明の実施例１における画像表示領域を示す説明図。
【図１５】本発明の実施例１における情報対応表を示す説明図。
【図１６】本発明の実施例１における第一類検索情報の付加フローチャートを示す説明図。
【図１７】本発明の実施例１の検索情報付加プロンプト領域を示す説明図。
【図１８】本発明の実施例１における第二類検索情報の付加フローチャートを示す説明図。
【図１９】本発明の実施例１における第三類検索情報の付加フローチャートを示す説明図。
【図２０】本発明の実施例１における第四類検索情報の付加フローチャートを示す説明図。
【図２１】本発明の実施例１における第五類検索情報の付加フローチャートを示す説明図。
【図２２】本発明の実施例１における検索方式選択画面を示す説明図。
【図２３】本発明の実施例１における入力方式選択画面を示す説明図。
【図２４】本発明の実施例１における第一類検索情報の検索に係るフローチャートを示す説明図。
【図２５】本発明の実施例１における第四類検索情報の検索に係るフローチャートを示す説明図。
【図２６】本発明の実施例１における第五類検索情報の検索に係るフローチャートを示す説明図。
【図２７】本発明の実施例１における検索結果画面を示す説明図。
【図２８】本発明の変形例における画像分類付加画面を示す説明図。
【図２９】本発明の変形例における画像分類検索画面を示す説明図。
【図３０】本発明の変形例における画像閲覧画面を示す説明図。
【発明を実施するための形態】
【００１１】
次に説明図を参照しながら、本発明におけるクラウドサーバー及び画像ファイル記憶検索システムの実施例について詳しく説明する。
【００１２】
ひとつの実施形態として、本発明は、複数のページを有する画像ファイルに検索情報を付加（添付）し、且つ該検索情報に基づいて検索を行う画像ファイル記憶検索システムであって、複数のページに対応する複数のページ画像を含む画像ファイルを記憶するためのクラウドサーバーと、ネットワークを介してクラウドサーバーとそれぞれ通信可能に接続されている少なくとも１つのユーザー端末と、を備えており、クラウドサーバーは、ページ画像記憶部、検索情報記憶部、付加制御部及びサーバー側通信部を含み、ユーザー端末は、画面記憶部、ユーザー側通信部及び入力表示部を含み、ページ画像記憶部は、少なくともページ画像を記憶し、サーバー側通信部は少なくともページ画像をユーザー端末に送信し、ユーザー側通信部は少なくともクラウドサーバーからページ画像を受信し、画面記憶部は少なくともページ画像通知画面及び検索情報付加用入力画面を記憶し、入力表示部は、少なくとも現在のページ画像の内容をユーザーに知らせるようにページ画像通知画面を表示し、及びユーザーに内容に基づいて検索情報を入力させるように検索情報付加用入力画面を表示し、ユーザー側通信部は検索情報を現在のページ画像に対応付けてクラウドサーバーに送信し、サーバー側通信部はユーザー端末から検索情報を受信し、付加制御部は検索情報をそれに対応するページ画像に付加し、検索情報をページ画像に対応付けて記憶するように検索情報記憶部を制御することを特徴とする画像ファイル記憶検索システムを提供したものである。
【００１３】
このような態様において、ページ画像記憶部は、ページ画像の属性を表すページ属性情報をさらに記憶し、ユーザー側通信部はページ画像を受信するとともにクラウドサーバーからページ属性情報を受信し、検索情報を送るとともに、対応のページ属性情報をクラウドサーバーに送信し、付加制御部は、ページ属性情報を検索情報に対応付けて記憶するように検索情報記憶部をさらに制御してもよい。
【００１４】
上記の態様において、検索情報は、第一類検索情報としてのキーワード、第二類検索情報としての設問及び回答、第三類検索情報としてのコメント、第四類検索情報としての音声、第五類検索情報としての画像、のうちいずれか１つ又は複数を含み、第一類検索情報、第二類検索情報及び第三類検索情報は文字データであり、第四類検索情報は音声データであり、第五類検索情報は画像データであってもよい。
【００１５】
上記の態様において、ページ画像通知画面は、検索情報付加方式選択領域をさらに含み、該検索情報付加選択領域は、第一類検索情報付加ボタン、第二類検索情報付加ボタン、第三類検索情報付加ボタン、第四類検索情報付加ボタン及び第五類検索情報付加ボタンを含み、画面記憶部は、少なくとも文字入力選択ボタンを含む付加方式選択画面、検索情報付加用入力画面としての文字入力画面、検索情報付加用入力画面としての音声入力画面、検索情報付加用入力画面としての画像入力画面、をさらに記憶し、第一類検索情報付加ボタンが選択された場合、入力表示部には、ユーザーに付加方式を選択させるための付加方式選択画面が表示され、文字入力選択ボタンが選択されたとき、入力表示部には、ユーザーに文字データを第一類検索情報として入力させるための文字入力画面が表示され、第二類検索情報付加ボタンが選択された場合、入力表示部には、ユーザーに付加方式を選択させるための付加方式選択画面が表示され、文字入力選択ボタンが選択されたとき、入力表示部には、ユーザーに文字データを第二類検索情報として入力させるための文字入力画面が表示され、第三類検索情報付加ボタンが選択された場合、入力表示部には、ユーザーに付加方式を選択させるための付加方式選択画面が表示され、文字入力選択ボタンが選択されたとき、入力表示部には、ユーザーに文字データを第三類検索情報として入力させるための文字入力画面が表示され、第四類検索情報付加ボタンが選択された場合、入力表示部には、ユーザーに音声データを第四類検索情報として入力させるための音声入力画面が表示され、第五類検索情報付加ボタンが選択された場合、入力表示部には、ユーザーに画像データを第五類検索情報として入力させるための画像入力画面が表示されてもよい。
【００１６】
上記の態様において、該画像ファイル記憶検索システムは音声認識部をさらに備えており、付加方式選択画面は音声入力選択ボタンをさらに含み、第一類検索情報付加ボタン及び音声入力選択ボタンが選択された場合、入力表示部にはユーザーに音声データを入力させるための音声入力画面が表示され、音声認識部は該音声データを文字データとして認識し、且つ該文字データを第一類検索情報とし、第二類検索情報付加ボタン及び音声入力選択ボタンが選択された場合、入力表示部にはユーザーに音声データを入力させるための音声入力画面が表示され、音声認識部は該音声データを文字データとして認識し、且つ該文字データを第二類検索情報とし、第三類検索情報付加ボタン及び音声入力選択ボタンが選択された場合、入力表示部にはユーザーに音声データを入力させるための音声入力画面が表示され、音声認識部は該音声データを文字データとして認識し、且つ該文字データを第三類検索情報としてもよい。
【００１７】
上記の態様において、該画像ファイル記憶検索システムは画像認識部をさらに備えており、付加方式選択画面は画像入力選択ボタンをさらに含み、第一類検索情報付加ボタン及び画像入力選択ボタンが選択された場合、入力表示部にはユーザーに画像データを入力させるための画像入力画面が表示され、画像認識部は該画像データを文字データとして認識し、且つ該文字データを第一類検索情報とし、第二類検索情報付加ボタン及び画像入力選択ボタンが選択された場合、入力表示部にはユーザーに画像データを入力させるための画像入力画面が表示され、画像認識部は該画像データを文字データとして認識し、且つ該文字データを第二類検索情報とし、第三類検索情報付加ボタン及び画像入力選択ボタンが選択された場合、入力表示部にはユーザーに画像データを入力させるための画像入力画面が表示され、画像認識部は該画像データを文字データとして認識し、且つ該文字データを第三類検索情報としてもよい。
【００１８】
１つの音声認識部又は１つの画像認識部を含む画像ファイル記憶検索システムにおいて、クラウドサーバーには検索部がさらに含まれており、画面記憶部は検索情報検索用入力画面をさらに記憶し、入力表示部はユーザーに検索用情報を入力させるための検索情報検索用入力画面をさらに表示し、ユーザー側通信部は検索用情報をクラウドサーバーに送信し、サーバー側通信部はユーザー端末から検索用情報を受信し、検索部は検索情報記憶部を検索して、検索用情報に一致する検索情報及び対応のページ属性情報を取得し、該ページ属性情報に基づいてページ画像記憶部を検索して、対応のページ画像を取得してもよい。
【００１９】
上記の画像ファイル記憶検索システムには、検出用情報は、第一類検索用情報としてのキーワード、第二類検索用情報としての設問及び回答、第三類検索用情報としてのコメント、第四類検索用情報としての音声、第五類検索用情報としての画像、のうちいずれか１つ又は複数を含み、第一類検索用情報、第二類検索用情報及び第三類検索用情報は文字データであり、第四類検索用情報は音声データであり、第五類検索用情報は画像データであり、画面記憶部は、第一類検索用情報入力ボタン、第二類検索用情報入力ボタン、第三類検索用情報入力ボタン、第四類検索用情報入力ボタン、及び第五類検索用情報入力ボタンを含む検索方式選択画面と、少なくとも文字入力ボタンを含む入力方式選択画面、検索情報検索用入力画面としての文字入力画面、検索情報検索用入力画面としての音声入力画面、検索情報検索用入力画面としての画像入力画面をさらに記憶し、第一類検索用情報入力ボタンが選択された場合、入力表示部には、ユーザーに入力方式を選択させるための入力方式選択画面が表示され、文字入力ボタンが選択されたとき、入力表示部には、ユーザーに文字データを第一類検索用情報として入力させるための文字入力画面が表示され、第二類検索用情報入力ボタンが選択された場合、入力表示部には、ユーザーに入力方式を選択させるための入力方式選択画面が表示され、文字入力ボタンが選択されたとき、入力表示部には、ユーザーに文字データを第二類検索用情報として入力させるための文字入力画面が表示され、第三類検索用情報入力ボタンが選択された場合、入力表示部には、ユーザーに入力方式を選択させるための入力方式選択画面が表示され、文字入力ボタンが選択されたとき、入力表示部には、ユーザーに文字データを第三類検索用情報として入力させるための文字入力画面が表示され、第四類検索用情報入力ボタンが選択された場合、入力表示部には、ユーザーに音声データを第四類検索用情報として入力させるための音声入力画面が表示され、第五類検索用情報入力ボタンが選択された場合、入力表示部には、ユーザーに画像データを第五類検索用情報として入力させるための画像入力画面が表示されてもよい。
【００２０】
上記の画像ファイル記憶検索システムには、入力方式選択画面は音声入力ボタンをさらに含み、第一類検索用情報入力ボタン及び音声入力ボタンが選択された場合、入力表示部には、ユーザーに音声データを入力させるための音声入力画面が表示され、音声認識部は、該音声データを文字データとして認識し、該文字データを第一類検索用情報とし、第二類検索用情報入力ボタン及び音声入力ボタンが選択された場合、入力表示部には、ユーザーに音声データを入力させるための音声入力画面が表示され、音声認識部は、該音声データを文字データとして認識し、該文字データを第二類検索用情報とし、第三類検索用情報入力ボタン及び音声入力ボタンが選択された場合、入力表示部には、ユーザーに音声データを入力させるための音声入力画面が表示され、音声認識部は、該音声データを文字データとして認識し、該文字データを第三類検索用情報としてもよい。
【００２１】
上記の画像ファイル記憶検索システムには、入力方式選択画面は画像入力ボタンをさらに含み、第一類検索用情報入力ボタン及び画像入力ボタンが選択された場合、入力表示部には、ユーザーに画像データを入力させるための画像入力画面が表示され、画像認識部は、該画像データを文字データとして認識し、該文字データを第一類検索用情報とし、第二類検索用情報入力ボタン及び画像入力ボタンが選択された場合、入力表示部には、ユーザーに画像データを入力させるための画像入力画面が表示され、画像認識部は、該画像データを文字データとして認識し、該文字データを第二類検索用情報とし、第三類検索用情報入力ボタン及び画像入力ボタンが選択された場合、入力表示部には、ユーザーに画像データを入力させるための画像入力画面が表示され、画像認識部は、該画像データを文字データとして認識し、該文字データを第三類検索用情報としてもよい。
【００２２】
上記の画像ファイル記憶検索システムには、ページ画像はスキャンアップロードデバイスを介してクラウドサーバーに送信され、ユーザー端末はスキャンアップロードデバイスを含んでもよい。
【００２３】
本発明の実施形態で、本発明は、ネットワークを介してユーザー端末に通信可能に接続され、複数ページを有する画像ファイルに検索情報を付加し、且つ該検索情報に基づいて検索を行うクラウドサーバーであって、ページ画像記憶部、検索情報記憶部、付加制御部及びサーバー側通信部を備えており、ページ画像記憶部は、少なくとも画像ファイルにおける複数のページに対応する複数枚のページ画像を記憶し、サーバー側通信部は、少なくともページ画像をユーザー端末に送信し、現在のページ画像に対応する検索情報をユーザー端末から受信し、付加制御部は、検索情報を対応のページ画像に付加し、該検索情報をページ画像に対応付けて記憶するように検索情報記憶部を制御することを特徴とするクラウドサーバーをも提供したものである。
【００２４】
上記のクラウドサーバーには、検索部をさらに備えており、ページ画像記憶部は、ページ画像の属性を表すページ属性情報をさらに記憶し、検索情報記憶部は、ページ属性情報を検索情報に対応付けて記憶し、サーバー側通信部がユーザー端末から検索用情報を受信すると、検索部は、検索情報記憶部を検索して、検索用情報に一致する検索情報及びそれに対応するページ属性情報を取得し、該ページ属性情報に基づいてページ画像記憶部を検索して、対応のページ画像を取得してもよい。
【実施例１】
【００２５】
図１は本発明の実施例１における画像ファイル記憶検索システムのブロック図を示す説明図である。
【００２６】
図１に示されるように、クラウドサーバー１０１及び少なくとも１つのユーザー端末１０２からなる画像ファイル記憶検索システム１００は、複数ページの画像ファイルに検索情報を付加し、該検索情報に基づき検索を行うのに用いられる。
【００２７】
図２は本発明の実施例１におけるクラウドサーバーのブロック図を示す説明図である。
【００２８】
図２に示されるように、クラウドサーバー１０１は、サーバー側制御部１０５、ページ画像記憶部１０６、検索情報記憶部１０７、検索部１０８、サーバー側通信部１０９、サーバー側一時保存部１１０、付加制御部１５０などを含めた、前記複数ページに対応する複数枚ページ画像を含む画像ファイルを記憶するのに用いられる。
【００２９】
クラウドサーバー１０１はインターネット１０３を介して各ユーザー端末１０２と接続され、これらのユーザー端末１０２との間でデータ情報の伝送と交換を行う。クラウドサーバー１０１はさらにスキャンアップロードデバイス１０４と接続されて、スキャンアップロードデバイス１０４によりアップロードされた画像ファイルを受信して記憶することができる。
【００３０】
図３は本発明の実施例１におけるユーザー端末のブロック図を示す説明図である。
【００３１】
図３に示されるように、ユーザー端末１０２はいずれもユーザー側一時保存部１１６、画面記憶部１１３、入力表示部１１４、ユーザー側通信部１１５、音声認識部１３２、画像認識部１３６及びユーザー側制御部１１２などを含む。ユーザー端末１０２により、ユーザーはページ画像に付加された検索情報と、ページ画像を検索するための検索用情報と、を入力したり、電子形式の画像ファイルをクラウドサーバー１０１にアップロードしたりすることができる。
【００３２】
ページ画像記憶部１０６は画像ファイルをページ別に記憶するとともに、各ページ画像の属性を表すそれぞれのページ属性情報を記憶し、即ち、ページ画像記憶部１０６は、画像ファイルを構成する各ページ画像及び該ページ画像のページ属性情報を対応付けて記憶する。ページ画像のサイズ、使用領域、解像度、ファイル形式、閲覧数、ファイルソース及び対応の画像ファイルにおけるページ番号などの情報を含めた各ページ画像のページ属性情報はいずれも該ページ画像と互いに対応付けられる。
【００３３】
各ページ画像をスキャンアップロードデバイス１０４でスキャンした後クラウドサーバー１０１にアップロードするか、もしくはユーザー端末１０２を介して直接クラウドサーバー１０１にアップロードしてもよい。前記どの方法でも、該画像ファイルはまずページ毎にページ画像に分割され、次にすべてSWF（shock  wave  flash）フォーマットに変換されてページ画像記憶部１０６に保存される。
【００３４】
サーバー側通信部１０９はクラウドサーバー１０１の各構成部分間、及びクラウドサーバー１０１とユーザー端末１０２との間のデータ情報の交換に用いられる。ユーザー端末１０２がページ画像を表示しようとすると、サーバー側通信部１０９はページ画像を少なくともユーザー端末に伝送する。ユーザー端末１０２があるページ画像に検索情報を付加した後、サーバー側通信部１０９はユーザー端末から検索情報を受信する。
【００３５】
サーバー側一時保存部１１０は、クラウドサーバー１０１の各構成部分間、及びクラウドサーバー１０１とユーザー端末１０２との間に交換されたデータ情報、例えば、ユーザー端末１０２から送信された検索情報及び検索用情報などデータ、を一時的に保存する。
【００３６】
サーバー側制御部１０５は、サーバー側通信部１０９を制御してユーザー端末１０２から送信されたデータ情報を受信し、且つ該データ情報に基づきクラウドサーバー１０１の各構成部分の動作を制御する。
【００３７】
ユーザー側通信部１１５はユーザー端末１０２の各構成部分の間、及び、ユーザー端末１０２とクラウドサーバー１０１との間のデータ情報の交換に用いられる。例えば、ユーザー側通信部１１５は、検索用キーワード及び方式情報をクラウドサーバー１０１に送信したり、クラウドサーバー１０１から検索結果を受信して入力表示部１１４に送信して表示したりすることができる。
【００３８】
画面記憶部１１３にはログイン画面、ページ画像通知画面、検索情報付加用入力画面、検索方式選択画面、検索情報検索用入力画面、検索結果画面、文字入力画面、画像入力画面、音声入力画面など画面が記憶されている。
【００３９】
入力表示部１１４は、ログイン画面、ページ画像通知画面、検索情報付加用入力画面、検索方式選択画面、認識結果確認画面、検索情報検索用入力画面、検索結果画面、文字入力画面、画像入力画面、音声入力画面などのような、画面記憶部１１３に記憶された様々な画面を表示し、ユーザーがそれにより、関連情報を入力し、又は様々な選択を行う。
【００４０】
図４は本発明の実施例１における登録画面を示す説明図である。
【００４１】
図４に示されるように、ログイン画面１１７は、ユーザーを該画像ファイル記憶検索システム１００にログインさせるためのユーザー識別コードを入力するときに用いられる。ログイン画面１１７には、ユーザーにユーザー識別コードの入力を案内する「ユーザー識別コードを入力してください」のダイアログ、及びユーザーにユーザー識別コードを入力させるユーザー識別コード入力ボックス１１８、がある。
【００４２】
また、該ログイン画面１１７には「ログイン」ボタン、「ログアウト」ボタン及び「登録」ボタンがある。ユーザーがユーザー識別コードを正しく入力して「ログイン」ボタンを選択すると、画像ファイル記憶検索システム１００にアクセスされる。なお、ユーザーが間違ったユーザー識別コードを入力してしまうと、入力表示部１１４に「ユーザー識別コードが正しくありません。もう一度ユーザー識別コードを入力するか、新しいユーザー識別コードを作成してくだい」のダイアログが表示される。ユーザーが「ログアウト」ボタンを選択した場合、画像ファイル記憶検索システム１００からログアウトして、検索が終了する。ユーザー識別コードを持っていない場合、「登録」ボタンをクリックし、ユーザーＩＤ、ニックネーム、ユーザー名、作者及びパスワードなどユーザー識別情報を入力することで、新しいユーザー識別コードを取得することができる。「作者」情報は、ユーザー識別コードと一つ一つ対応している。
【００４３】
なお、該ログイン画面１１７に、「識別コードを忘れた」ボタンを設けてもよい。万が一ユーザーが自分のユーザー識別コードを忘れた場合でも、このボタンを選択して、登録の際に記入したユーザー識別情報をもとにユーザー識別コードを取り戻すことができる。
【００４４】
図５は本発明の実施例１におけるページ画像通知画面を示す説明図である。
【００４５】
図５に示されるように、画像名称表示領域１２０、ページ表示領域１２４、検索情報付加選択領域１２１、検索情報表示領域１２２、ページ画像表示領域１２３、サムネイル表示領域１２５など領域を含めたページ画像通知画面１１９は現在のページ画像内容をユーザーに知らせるのに用いられる。ユーザーが画像ファイル記憶検索システム１００にアクセスして必要なページ画像を選択し、或いは、検索されたページ画像を選択すると、入力表示部１１４には現在選択されたページ画像の内容をユーザーに知らせるためのページ画像通知画面１１９が表示される。
【００４６】
ページ画像通知画面１１９において、画像名称表示領域１２０には、現在選択されたページ画像のある画像ファイルの名称が表示される。図５に示す「閲覧．pdf」は即ち現在選択した画像ファイルの名称である。
【００４７】
ページ画像表示領域１２３は、選択されたページ画像の内容をユーザーに表示するとともに、該ページ画像に付加された様々な検索情報を表示する。図５中の「勘定書保存」、「勘定残高」及び「手続き依頼」は現在表示されたページ画像に付加されたキーワード検索情報である。ページ画像表示領域１２３にスクロールバー１４２がさらに設けられ、水平スクロールバー及び垂直スクロールバーを含む。水平スクロールバーは、ページ画像の水平表示領域を調整し、垂直スクロールバーは、ページ画像の垂直表示領域を調整する。ページ画像の画素が高い時、該ページ画像が全ページ画像表示領域１２３に表示不能であるので、スクロールバー１４２の位置を調整することを通して現在選択されたページ画像の表示領域を調整して、該ページ画像を完全に表示する。
【００４８】
サムネイル表示領域１２５は現在にてユーザーにより選択されたページ画像のサムネイル及びそれに隣接する数枚のページ画像のサムネイルを表示する。本実施例において、サムネイル表示領域１２５は、６枚のサムネイルを表示する。なお、サムネイル表示領域１２５は、もっと多く又はもっと少ないサムネイルを表示することもできる。該サムネイル表示領域１２５におけるサムネイルのいずれかが選択された場合、ページ画像表示領域１２３は、選択されたサムネイルに対応するページ画像の内容を表示する。選択されたサムネイルはサムネイル表示領域１２５で、ほかの選択されていないサムネイルと区別可能に表示され、例えば、影付き、外枠太罫線、タブ付きなど、の方式で処理し、それにより、ユーザーが現在選択されたサムネイルを閲覧することができる。図５の中で選択されたサムネイルは、周辺のサムネイルと区別するように外枠太罫線の方式で表示される。サムネイルにより、ユーザーが現在選択されたページ画像の近傍の複数のページ画像の概況を了解し、対象ページ画像をすぐ見つけ出すことができる。
【００４９】
ページ表示領域１２４は、画像ファイルにおける現在選択されたページ画像のページ番号をユーザーに表示する。表示されたページ番号は表示されたサムネイルの数に一致する。
【００５０】
検索情報付加選択領域１２１により、ユーザーが現在選択されたページ画像に必要な検索情報を付加することが可能である。本実施例において、ユーザーが付加できる検索情報は５種類あり、それぞれ、第一類検索情報としてのキーワード、第二類検索情報としての設問及び回答、第三類検索情報としてのコメント、第四類検索情報としての音声、及び第五類検索情報としての画像、である。第一類検索情報、第二類検索情報及び第三類検索情報は文字記号型データであり、第四類検索情報は音声データであり、第五類検索情報は画像データである。それに対応して、検索情報付加選択領域１２１は、前記検索情報をそれぞれ対応して付加するための第一類検索情報付加ボタン、第二類検索情報付加ボタン、第三類検索情報付加ボタン、第四類検索情報付加ボタン及び第五類検索情報付加ボタン、という５種類の情報付加ボタンを有する。図５のように、「キーワード」ボタンは第一類検索情報付加ボタンであり、「設問及び回答」ボタンは第二類検索情報付加ボタンであり、「コメント」ボタンは第三類検索情報付加ボタンであり、「音声」ボタンは第四類検索情報付加ボタンであり、「画像」ボタンは第五類検索情報付加ボタンである。
【００５１】
図６は本発明の実施例１における付加方式選択画面を示す説明図である。
【００５２】
図６に示されるように、付加方式選択画面１４０は、ユーザーが検索情報の付加方式を選択できるように、「検索情報付加方式を選択してくだい」のダイアログ、文字記号入力選択ボタン、音声入力選択ボタン及び画像入力選択ボタンを含む。第一類検索情報付加ボタン、第二類検索情報付加ボタン及び第三類検索情報付加ボタンのいずれか一方が選択された場合、入力表示部１１４は、ユーザーが必要な付加方式を選択するための付加方式選択画面１４０を表示する。文字記号入力選択ボタンは、図６に示された「キャラクター形式で付加」ボタンであり、音声入力選択ボタンは図６に示された「音声形式で付加」ボタンであり、画像入力選択ボタンは図６に示された「画像形式で付加」ボタンである。
【００５３】
図７は本発明の実施例１における文字記号入力画面を示す説明図である。
【００５４】
図７に示されるように、文字入力画面１３０は、「文字を入力してください」のダイアログ及び文字入力ボックス１３１を含む。付加方式選択画面１４０の文字記号入力選択ボタンが選択された場合、入力表示部１１４は、ユーザーが文字記号型データを入力するための文字入力画面１３０を表示する。
【００５５】
ユーザーが該文字入力ボックス１３１に文字記号型データを入力した後、該文字記号型データは検索情報として現在表示されたページ画像に付加される。本実施例において、「勘定書締切」文字記号型データが入力されたので、該「勘定書締切」は現在表示されたページ画像の検索情報とされる。
【００５６】
図８は本発明の実施例１における音声入力画面を示す説明図である。
【００５７】
図８に示されるように、音声入力画面１４３は、ユーザーに音声データを入力させることに用いられる。付加方式選択画面１４０の音声入力選択ボタンが選択された場合、即ち、ユーザーが音声入力を付加方式とした場合、入力表示部１１４が音声入力画面１４３を表示する。音声入力画面１４３に、「音声を入力してください」のダイアログ、音声プレビューボタン１４４及び録音ボタン１４５が含まれる。音声プレビューボタンは図８により示された「プレビュー」ボタンである。録音ボタン１４５は図８により示されたマイクのアイコンである。
【００５８】
音声プレビューボタン１４４が選択された場合、ユーザーがユーザー端末１０２から音声データをアップロードすることができる。録音ボタン１４５が選択された場合、ユーザーが音声データを直接入力することができる。ユーザーの入力が完了した場合、音声再生ボタンをクリックすると、自分で入力した音声を再生することができる。音声再生ボタンは図８に示されたスピーカーのアイコンである。
【００５９】
音声認識部１３２により、ユーザーの入力した音声データは文字記号型データに変換される。ユーザーが前記１種類の方式のいずれか一項を通して音声データを入力した時、音声認識部１３２は該音声データを文字記号型データに変換し、該文字記号型データは検索情報として現在表示されたページ画像に付加される。
【００６０】
図９は本発明の実施例１における認識結果確認画面を示す説明図である。
【００６１】
図９に示されるように、認識結果確認画面１３３は、「下記の内容に間違いがないか確認してください」のダイアログ、及び認識結果確認ダイアログボックス１３４を含む。音声認識部１３２が音声データを文字記号型データに変換した後、入力表示部１１４は、ユーザーに音声認識結果の正確さを確認させるための認識結果確認画面１３３を表示する。認識結果が正確である場合、ユーザーは「確認」ボタンを選択し、該認識結果が検索情報として現在表示されたページ画像に付加される。認識結果が間違っている場合、ユーザーは認識結果確認ダイアログボックス１３４で正確な文字記号型データに修正し、且つ確認ボタンを選択し、修正後の文字記号型データが検索情報として現在表示されたページ画像に付加される。図９中の音声認識結果は「勘定書締切」であり、「勘定書締切」は、認識結果確認画面１３３の認識結果確認ダイアログボックス１３４の中に表示される。
【００６２】
図１０は本発明の実施例１における画像入力画面を示す説明図である。
【００６３】
図１０に示されるように、画像入力画面１３５は、ユーザーに画像データを入力させるために、「画像を入力してください」のダイアログ、画像プレビューボタン１４６及びカメラボタン１４７を含む。付加方式選択画面１４０の画像入力選択ボタンが選択された場合、入力表示部１１４は画像入力画面１３５を表示する。画像プレビューボタン１４６及び「確認」ボタンが選択された場合、ユーザーはユーザー端末１０２から画像データをアップロードすることができる。カメラボタン１４７が選択された場合、ユーザーは写真を撮ることを通して画像データを直接に入力することができる。
【００６４】
画像認識部１３６は、ユーザーの入力した画像データを文字記号型データに変換する。ユーザーが前記２種類の方式のいずれか一方を通して画像データを入力する時、画像認識部１３６は該画像データを文字記号型データに変換する。画像認識部１３６が画像データを文字記号型データに変換した後、入力表示部１１４は、ユーザーに画像の認識結果の正確さを確認させるための認識結果確認画面１３３を表示する。認識結果が正確である場合、ユーザーは結果確認画面１３３の確認ボタンを選択し、該認識結果が検索情報として現在表示されたページ画像に付加される。認識結果が間違っている場合、ユーザーは結果確認画面１３３の認識結果確認ダイアログボックス１３４で正確な文字記号型データに修正し、且つ確認ボタンを選択し、修正後の文字記号型データが検索情報として現在表示されたページ画像に付加される。
【００６５】
５種類の検索情報の詳細な付加過程は下記の通りである。
【００６６】
第一類検索情報付加ボタンが選択された場合、入力表示部１１４は、ユーザーに付加方式を選択させるための付加方式選択画面１４０を表示する。文字記号入力選択ボタンが選択された場合、入力表示部１１４は、ユーザーに文字記号型データを第一類検索情報として入力させるための文字入力画面１３０を表示し、音声入力選択ボタンが選択された場合、入力表示部１１４は、ユーザーに音声データを入力させるための音声入力画面１４３を表示し、次いで音声認識部１３２が該音声データを文字記号型データとして認識し、且つそれを第一類検索情報とし、画像入力選択ボタンが選択された場合、入力表示部１１４は、ユーザーに画像データを入力させるための画像入力画面１３５を表示し、画像認識部１３６が該画像データを文字記号型データとして認識し、且つそれを第一類検索情報とする。
【００６７】
第二類検索情報付加ボタンが選択された場合、入力表示部１１４は、ユーザーに付加方式を選択させるための付加方式選択画面１４０を表示する。文字記号入力選択ボタンが選択された場合、入力表示部１１４は、ユーザーに文字記号型データを第二類検索情報として入力させるための文字入力画面１３０を表示し、音声入力選択ボタンが選択された場合、入力表示部１１４は、ユーザーに音声データを入力させるための音声入力画面１４３を表示し、次いで音声認識部１３２が該音声データを文字記号型データとして認識し、且つそれを第二類検索情報とし、画像入力選択ボタンが選択された場合、入力表示部１１４は、ユーザーに画像データを入力させるための画像入力画面１３５を表示し、画像認識部１３６が該画像データを文字記号型データとして認識し、且つそれを第二類検索情報とする。
【００６８】
第三類検索情報付加ボタンが選択された場合、入力表示部１１４は、ユーザーに付加方式を選択させるための付加方式選択画面１４０を表示する。文字記号入力選択ボタンが選択された場合、入力表示部１１４は、ユーザーに文字記号型データを第三類検索情報として入力させるための文字入力画面を表示し、音声入力選択ボタンが選択された場合、入力表示部１１４は、ユーザーに音声データを入力させるための音声入力画面１４３を表示し、次いで音声認識部１３２が該音声データを文字記号型データとして認識し、且つそれを第三類検索情報とし、画像入力選択ボタンが選択された場合、入力表示部１１４は、ユーザーに画像データを入力させるための画像入力画面を表示し、画像認識部１３６が該画像データを文字記号型データとして認識し、且つそれを第三類検索情報とする。
【００６９】
第四類検索情報付加ボタンが選択された場合、入力表示部１１４は、ユーザーに第四類検索情報としての音声データを入力させるための音声入力画面を表示する。
【００７０】
第五類検索情報付加ボタンが選択された場合、入力表示部１１４は、ユーザーに画像データを第五類検索情報として入力させるための画像入力画面を表示する。５種類の検索情報のいずれか一方が付加された後、これらの検索情報は、ユーザーが容易にプレビューできるように、検索情報表示領域１２２で表示される。
【００７１】
検索情報表示領域１２２は、該ページ画像の中で事前に付加された検索情報を表示し、キーワード表示領域１２６、設問及び回答表示領域１２７、コメント領域１２８、音声表示領域１４８及び画像表示領域１４９を含む。
【００７２】
図５に示されるように、キーワード表示領域１２６は、付加された第一類検索情報を表示し、キーワードの作者、キーワードの内容、新規作成時間及びキーワードの閲覧数など情報を含む。キーワード表示領域１２６に、ユーザーがキーワードを修正するための「削除」ボタン及び「編集」ボタンがさらに設けられる。しかし、「削除」ボタン及び「編集」は、ユーザー識別コードに対応するキーワードに対応して設置されたので、該キーワードを新規作成した作者だけが、設定されたキーワードを修正でき、他のユーザーにより設定されたキーワードを修正できない。図５では、作者を「fox」とするユーザーが、名称「閲覧.pdf」のページ５２に２つのキーワード「勘定書保存」及び「勘定残高」を新規作成し、作者を「nick」とするユーザーが該ページ画像にキーワード「手続き依頼」を新規作成する。作者を「fox」とするユーザーが該画像ファイル記憶検索システムにログインする時、「勘定書保存」及び「勘定残高」のみを削除又は編集し、「手続き依頼」を削除又は編集できない。それに対応して、すべてのユーザーがページ５２のページ画像に新規作成したキーワードはいずれもページ画像表示領域１２３で表示される。
【００７３】
図１１は本発明の実施例１における設問と回答の表示領域を示す説明図である。
【００７４】
図１１に示されるように、設問及び回答表示領域１２７は、事前に付加された第二類検索情報を表示し、設問及び回答の作者、質問の内容、答えの内容、新規作成時間及び閲覧数など情報を含む。設問及び回答は、ページ画像に対応して付加され、付加される時、領域を選択する必要がない。設問及び回答表示領域１２７に「回答」ボタンがある。ユーザーが該「回答」ボタンを選択すると、質問に対して答えることが可能である。１つの質問に複数の答えがある場合、答えはそれぞれ時間の順序によってダイアログボックスで順に表示され、混乱や混同を避ける。
【００７５】
図１２は本発明の実施例１におけるコメント表示領域を示す説明図である。
【００７６】
図１２に示されるように、コメント領域１２８は、付加された第三類検索情報を表示し、コメントの作者、コメントの内容、新規作成時間及び閲覧数など情報を含む。コメントは、ページ画像に対応して付加され、付加する時に領域を選択する必要がない。１つのページ画像に複数のコメントがある場合、各コメントはそれぞれダイアログボックスで追加時間によって順に上から下へ表示され、混乱や混同を避ける。
【００７７】
図１３は本発明の実施例１における音声表示領域を示す説明図である。
【００７８】
図１３に示されるように、音声表示領域１４８は、すでに付加された第四類検索情報を表示し、音声の作者、音声内容識別子（スピーカーのアイコン）、新規作成時間及び閲覧数など情報を含む。それと対応して、ページ画像表示領域１２３の検索情報表示ボックス１５５も、該検索情報表示ボックス１５５内の検索情報が第四類検索情報であることをユーザーに通知するための音声内容標識子（スピーカーのアイコン）を含む。１枚のページ画像に、複数の第四類検索情報が含まれた場合、音声表示領域１４８は、ページ画像表示領域１２３における第四類検索情報の位置順位によって、これらの第四類検索情報を順に表示する。音声はページ画像のある領域に対応して付加される。図１３は３つの第四類検索情報を含む。図１３では、「金額計算」領域に付加された音声情報が音声表示領域１４８の一番上に表示されている。図１３では、「締切日」に付加された音声情報が音声表示領域１４８の一番下に表示されている。図１３では、「準備時間」に付加された音声情報が音声表示領域１４８の中間部に表示されている。ユーザーが音声内容識別子（スピーカーのアイコン）をクリックすると、該第四類検索情報を再生することが可能である。
【００７９】
図１４は本発明の実施例１における画像表示領域を示す説明図である。
【００８０】
図１４に示されるように、画像表示領域１４９は、付加された第五類検索情報を表示し、画像の作者、画像内容識別子（フォルダのアイコン）、新規作成時間及び閲覧数など情報を含む。それと対応して、ページ画像表示領域１２３の検索情報表示ボックスも画像内容識別子（フォルダのアイコン）を含み、該検索情報表示ボックス内の検索情報が第五類検索情報であることをユーザーに通知する。１枚のページ画像に複数の第五類検索情報を含む場合、画像表示領域１４９は、ページ画像表示領域１２３における第五類検索情報の位置順序によってこれらの第五類検索情報を順に表示する。図１４の中の「負債」は選択されたページ画像の内容を表し、「負債」の隣の画像内容識別子（フォルダのアイコン）は、該選択された領域に第五類検索情報が付加されたことを示す。ユーザーが画像内容識別子（フォルダのアイコン）をクリックすると、該第五類検索情報を閲覧することができる。
【００８１】
付加制御部１５０は前記５種類の検索情報の任意１種をページ画像に付加し、且つ検索情報記憶部１０７を制御して、付加された検索情報とページ画像とを対応付けて記憶し、さらに検索情報記憶部１０７を制御してページ属性情報及びこれらの検索情報を対応付けて記憶する。
【００８２】
図１５は本発明の実施例１における情報対応表を示す説明図である。
【００８３】
図１５に示されるように、情報対照表１５１は、付加制御部１５０により生成され、且つ検索情報記憶部１０７に記憶される。情報対照表１５１がページ属性情報、検索情報及び両者の対応関係を記憶する。情報対照表１５１に記憶されたページ属性情報はファイル名及びページ番号などの情報を含む。情報対照表１５１において、５種類の検索情報はそれぞれページ画像に対応するとともに、画像ファイルにおけるページ画像のページ番号に対応する。図１５では、ファイル名「F1」、ページ番号「P1」のページ画像はそれぞれ３つの第一類検索情報「K11-1」、「K11-2」、「K11-3」と、２つの第二類検索情報「Q&A11-1」、「Q&A11-2」と、１つの第三類検索情報「C11-1」、１つの第四類検索情報「V11-1」を含み、第五類検索情報を含まない。ファイル名「F1」、ページ番号「P3」のページ画像は、第一類検索情報、第二類検索情報、第三類検索情報及び第四類検索情報を含まず、第四類検索情報「I13-1」の１つだけを含む。
【００８４】
続いて、フローチャートを参照しながら、ページ画像における検索情報の付加過程を詳しく説明する。
【００８５】
図１６は、本発明の実施例１における第一類検索情報の付加フローチャートを示す説明図である。
【００８６】
図１６に示されるように、第一類検索情報付加プロセスは下記の通りである。
【００８７】
ステップＳ１−１：ユーザーが現在選択且つ表示されたページ画像に第一類検索情報を付加する必要がある場合、入力表示部１１４は、検索情報付加選択領域１２１でユーザーに第一類検索情報付加ボタンを選択させるためのページ画像通知画面１１９を表示し、ステップＳ１−２に進む。
【００８８】
図１７は本発明の実施例１の検索情報付加プロンプト領域を示す説明図である。
【００８９】
ステップＳ１−２：  図１７に示されるように、入力表示部１１４は、ページ画像通知画面１１９の検索情報付加プロンプト領域で「画像表示領域で領域を選択してください」のダイアログを表示し、ページ画像表示領域１２３で第一類検索情報としてのキーワードの付加領域を選択することをユーザーに通知する。ステップＳ１−３に進む。
【００９０】
ステップＳ１−３：ユーザーがキーワードの付加領域を選択した後、入力表示部１１４は、ユーザーに付加方式を選択させるための付加方式選択画面１４０を表示する。文字記号入力選択ボタンが選択された場合、ステップＳ１−４に入り、音声入力選択ボタンが選択された場合、ステップＳ１−５に入り、画像入力選択ボタンが選択された場合、ステップＳ１−６に進む。
【００９１】
ステップＳ１−４：入力表示部１１４は、ユーザーが第一類検索情報としての文字記号型データを入力するための文字入力画面１３０を表示し、ステップＳ１−７に進む。
【００９２】
ステップＳ１−５：入力表示部１１４は、ユーザーに音声データを入力させるための音声入力画面１４３を表示し、音声認識部１３２は該音声データを第一類検索情報としての文字記号型データとして認識し、ステップＳ１−７に進む。
【００９３】
ステップＳ１−６：入力表示部１１４は、ユーザーに画像データを入力させるための画像入力画面１３５を表示し、画像認識部１３６は、該画像データを第一類検索情報としての文字記号型データとして認識し、ステップＳ１−７に進む。
【００９４】
ステップＳ１−７：ユーザー側通信部１１５は第一類検索情報及び現在ページ画像をクラウドサーバー１０１に対応付けて送信し、ステップＳ１−８に進む。
【００９５】
ステップＳ１−８：サーバー側通信部１０９はユーザー端末１０２から第一類検索情報を受信し、ステップＳ１−９に進む。
【００９６】
ステップＳ１−９：付加制御部１５０は第一類検索情報を対応するページ画像に付加し、且つ検索情報記憶部１０７を制御して、該第一類検索情報とページ画像とを対応付けて記憶する。
【００９７】
第一類検索情報の付加はこれで完了である。
【００９８】
図１８は、本発明の実施例１における第二類検索情報の付加フローチャートを示す説明図である。
【００９９】
図１８に示されるように、第二類検索情報付加プロセスは下記の通りである。
【０１００】
ステップＳ２−１：
ユーザーが現在選択且つ表示されたページ画像に第二類検索情報を付加する時、入力表示部１１４は、検索情報付加選択領域１２１でユーザーに第二類検索情報付加ボタンを選択させるためのページ画像通知画面１１９を表示し、ステップＳ２−２に進む。
【０１０１】
ステップＳ２−２：入力表示部１１４は、ユーザーに付加方式を選択させるための付加方式選択画面１４０を表示する。文字記号入力選択ボタンが選択された場合、ステップＳ２−３に入り、音声入力選択ボタンが選択された場合、ステップＳ２−４に入り、画像入力選択ボタンが選択された場合、ステップＳ２−５に進む。
【０１０２】
ステップＳ２−３：入力表示部１１４は、ユーザーが第二類検索情報としての文字記号型データを入力するための文字入力画面１３０を表示し、ステップＳ２−６に進む。
【０１０３】
ステップＳ２−４：入力表示部１１４は、ユーザーに音声データを入力させるための音声入力画面１４３を表示し、音声認識部１３２は該音声データを第二類検索情報としての文字記号型データとして認識し、ステップＳ２−６に進む。
【０１０４】
ステップＳ２−５：入力表示部１１４は、ユーザーに画像データを入力させるための画像入力画面１３５を表示し、画像認識部１３６は、該画像データを第二類検索情報としての文字記号型データとして認識し、ステップＳ２−６に進む。
【０１０５】
ステップＳ２−６：ユーザー側通信部１１５は第二類検索情報及び現在ページ画像をクラウドサーバー１０１に対応付けて送信し、ステップＳ２−７に進む。
【０１０６】
ステップＳ２−７：サーバー側通信部１０９はユーザー端末１１１から第二類検索情報を受信し、ステップＳ２−８に進む。
【０１０７】
ステップＳ２−８：付加制御部１５０は第二類検索情報を対応するページ画像に付加し、且つ検索情報記憶部１０７を制御して、該第二類検索情報とページ画像とを対応付けて記憶する。
【０１０８】
第二類検索情報の付加はこれで完了である。
【０１０９】
図１９は、本発明の実施例１における第三類検索情報の付加フローチャートを示す説明図である。
【０１１０】
図１９に示されるように、第三類検索情報付加プロセスは下記の通りである。
【０１１１】
ステップＳ３−１：ユーザーが現在選択且つ表示されたページ画像に第三類検索情報を付加する時、入力表示部１１４は、検索情報付加選択領域１２１でユーザーに第三類検索情報付加ボタンを選択させるためのページ画像通知画面１１９を表示し、ステップＳ３−２に進む。
【０１１２】
ステップＳ３−２：入力表示部１１４は、ユーザーに付加方式を選択させるための付加方式選択画面１４０を表示する。文字記号入力選択ボタンが選択された場合、ステップＳ３−３に入り、音声入力選択ボタンが選択された場合、ステップＳ３−４に入り、画像入力選択ボタンが選択された場合、ステップＳ３−５に進む。
【０１１３】
ステップＳ３−３：入力表示部１１４は、ユーザーが第三類検索情報としての文字記号型データを入力するための文字入力画面１３０を表示し、ステップＳ３−６に進む。
【０１１４】
ステップＳ３−４：入力表示部１１４は、ユーザーに音声データを入力させるための音声入力画面１４３を表示し、音声認識部１３２は該音声データを第三類検索情報としての文字記号型データとして認識し、ステップＳ３−６に進む。
【０１１５】
ステップＳ３−５：入力表示部１１４は、ユーザーに画像データを入力させるための画像入力画面１３５を表示し、画像認識部１３６は、該画像データを第三類検索情報としての文字記号型データとして認識し、ステップＳ３−６に進む。
【０１１６】
ステップＳ３−６：ユーザー側通信部１１５は第三類検索情報及び現在ページ画像をクラウドサーバー１０１に対応付けて送信し、ステップＳ３−７に進む。
【０１１７】
ステップＳ３−７：サーバー側通信部１０９はユーザー端末１１１から第三類検索情報を受信し、ステップＳ３−８に進む。
【０１１８】
ステップＳ３−８：付加制御部１５０は第三類検索情報を対応するページ画像に付加し、且つ検索情報記憶部１０７を制御して、該第三類検索情報とページ画像とを対応付けて記憶する。
【０１１９】
第三類検索情報の付加はこれで完了である。
【０１２０】
図２０は、本発明の実施例１における第四類検索情報の付加フローチャートを示す説明図である。
【０１２１】
図２０に示されるように、第四類検索情報付加プロセスは下記の通りである。
【０１２２】
ステップＳ４−１：ユーザーが現在選択且つ表示されたページ画像に第四類検索情報を付加する時、入力表示部１１４は、検索情報付加選択領域１２１でユーザーに第四類検索情報付加ボタンを選択させるためのページ画像通知画面１１９を表示し、ステップＳ４−２に進む。
【０１２３】
ステップＳ４−２：ユーザーがページ画像表示領域１２３の中で第四類検索情報としての音声の付加領域を選択し、入力表示部１１４は、ユーザーに音声データを第四類検索情報として入力させるための音声入力画面１４３を表示し、ステップＳ４−３に進む。
【０１２４】
ステップＳ４−３：ユーザー側通信部１１５は第四類検索情報及び現在ページ画像をクラウドサーバー１０１に対応付けて送信し、ステップＳ４−４に進む。
【０１２５】
ステップＳ４−４：サーバー側通信部１０９はユーザー端末１１１から第四類検索情報を受信し、ステップＳ４−５に進む。
【０１２６】
ステップＳ４−５：付加制御部１５０は第四類検索情報を対応するページ画像に付加し、且つ検索情報記憶部１０７を制御して、該第四類検索情報とページ画像とを対応付けて記憶する。
【０１２７】
第四類検索情報の付加はこれで完了である。
【０１２８】
図２１は、本発明の実施例１における第五類検索情報の付加フローチャートを示す説明図である。
【０１２９】
図２１に示されるように、第五類検索情報付加プロセスは下記の通りである。
【０１３０】
ステップＳ５−１：ユーザーが現在選択且つ表示されたページ画像に第五類検索情報を付加する時、入力表示部１１４は、検索情報付加選択領域１２１でユーザーに第五類検索情報付加ボタンを選択させるためのページ画像通知画面１１９を表示し、ステップＳ５−２に進む。
【０１３１】
ステップＳ５−２：ユーザーがページ画像表示領域１２３の中で第五類検索情報としての画像の付加領域を選択し、入力表示部１１４は、ユーザーに画像データを第五類検索情報として入力させるための画像入力画面１３５を表示し、ステップＳ５−３に進む。
【０１３２】
ステップＳ５−３：ユーザー側通信部１１５は第五類検索情報及び現在ページ画像をクラウドサーバー１０１に対応付けて送信し、ステップＳ５−４に進む。
【０１３３】
ステップＳ５−４：サーバー側通信部１０９はユーザー端末１１１から第五類検索情報を受信し、ステップＳ５−５に進む。
【０１３４】
ステップＳ５−５：付加制御部１５０は第五類検索情報を対応するページ画像に付加し、且つ検索情報記憶部１０７を制御して、該第五類検索情報とページ画像とを対応付けて記憶する。
【０１３５】
第五類検索情報の付加はこれで完了である。
【０１３６】
次に、ページ画像の検索過程を詳しく説明する。
【０１３７】
検索部１０８はユーザーにより入力された検索用情報に基づいてページ画像を検索する。本実施例において、ユーザーが付加できる検索情報は５種類あり、それぞれ、第一類検索用情報としてのキーワード、第二類検索用情報としての設問及び回答、第三類検索用情報としてのコメント、第四類検索用情報としての音声、及び第五類検索用情報としての画像のいずれか１つ又は複数である。第一類検索用情報、第二類検索用情報及び第三類検索用情報は文字記号型データであり、第四類検索用情報は音声データであり、第五類検索用情報は画像データである。
【０１３８】
図２２は本発明の実施例１における検索方式選択画面を示す説明図である。
【０１３９】
図２２に示されるように、検索方式選択画面１５２は、ユーザーに検索方式を選択させることに用いられる。ユーザーが画像ファイル記憶検索システム１００にアクセスした後、入力表示部１１４は、検索方式選択画面１５２を表示する。本実施例において、ユーザーが選択可能な検索方式は５種類あり、それぞれ、第一類検索情報を検索するための「キーワード検索」検索方式、第二類検索情報を検索するための「設問及び回答検索」検索方式、第三類検索情報を検索するための「コメント検索」検索方式、第四類検索情報を検索するための「音声検索」検索方式、第五類検索情報を検索するための「画像検索」検索方式、である。それに応じて、検索方式選択画面１５２は、５種類の検索用情報入力ボタンを含有し、それぞれ、第一類検索用情報入力ボタンとしての「キーワード検索」ボタン、第二類検索用情報入力ボタンとしての「設問及び回答検索」ボタン、第三類検索用情報入力ボタンとしての「コメント検索」ボタン、第四類検索用情報入力ボタンとしての「音声検索」ボタン、並びに、第五類検索用情報入力ボタンとしての「画像検索」ボタン、である。図２２に示されるように、ユーザーが「コメント検索」ボタンの前の選択ボックスを選択することだけで、第三類検索情報を検索することが実現できる。
【０１４０】
図２３は本発明の実施例１における入力方式選択画面を示す説明図である。
【０１４１】
図２３に示されるように、入力方式選択画面１５３により、ユーザーが検索用情報の入力方式を選択する。第一類検索用情報入力ボタン、第二類検索用情報入力ボタン及び第三類検索用情報入力ボタンのいずれか１種が選択された場合、入力表示部１１４は、ユーザーに必要な検索用情報の入力方式を選択させるための入力方式選択画面１５３を表示する。入力方式選択画面１５３は文字記号入力ボタン、音声入力ボタン及び画像入力ボタンを含む。文字記号入力ボタンは、図２３に示された「文字形式で入力」ボタンであり、音声入力ボタンは、図２３に示された「音声形式で入力」ボタンであり、画像入力ボタンは、図２３に示された「画像形式で入力」ボタンである。入力方式選択画面１５３の文字記号入力ボタンが選択された場合、入力表示部１１４は、ユーザーに文字記号型データを入力させるための文字入力画面１３０を表示する。入力方式選択画面１５３の音声入力ボタンが選択された場合、入力表示部１１４は、ユーザーに音声データを入力させるための音声入力画面１４３を表示する。入力方式選択画面１５３の画像入力ボタンが選択された場合、入力表示部１１４は、ユーザーに画像データを入力させるための画像入力画面１３５を表示する。
【０１４２】
５種類の検索用情報の詳しい入力過程は下記の通りである。
【０１４３】
第一類検索用情報入力ボタンが選択された場合、入力表示部１１４は、ユーザーに入力方式を選択させるための入力方式選択画面１５３を表示する。文字記号入力ボタンが選択された場合、入力表示部１１４は、ユーザーに文字記号型データを第一類検索用情報として入力させるための文字入力画面１３０を表示し、音声入力ボタンが選択された場合、入力表示部１１４は、ユーザーに音声データを入力させるための音声入力画面１４３を表示し、次いで、音声認識部１３２は、該音声データを第一類検索用情報としての文字記号型データとして認識し、画像入力ボタンが選択された場合、入力表示部１１４は、ユーザーに画像データを入力させるための画像入力画面１３５を表示し、画像認識部１３６は、該画像データを第一類検索用情報としての文字記号型データとして認識する。
【０１４４】
第二類検索用情報入力ボタンが選択された場合、入力表示部１１４は、ユーザーに入力方式を選択させるための入力方式選択画面１５３を表示する。文字記号入力ボタンが選択された場合、入力表示部１１４は、ユーザーに文字記号型データを第二類検索用情報として入力させるための文字入力画面１３０を表示し、音声入力ボタンが選択された場合、入力表示部１１４は、ユーザーに音声データを入力させるための音声入力画面１４３を表示し、次いで、音声認識部１３２は、該音声データを第二類検索用情報としての文字記号型データとして認識し、画像入力ボタンが選択された場合、入力表示部１１４は、ユーザーに画像データを入力させるための画像入力画面１３５を表示し、画像認識部１３６は、該画像データを第二類検索用情報としての文字記号型データとして認識する。
【０１４５】
第三類検索用情報入力ボタンが選択された場合、入力表示部１１４は、ユーザーに入力方式を選択させるための入力方式選択画面１５３を表示する。文字記号入力ボタンが選択された場合、入力表示部１１４は、ユーザーに文字記号型データを第三類検索用情報として入力させるための文字入力画面１３０を表示し、音声入力ボタンが選択された場合、入力表示部１１４は、ユーザーに音声データを入力させるための音声入力画面１４３を表示し、次いで、音声認識部１３２は、該音声データを第三類検索用情報としての文字記号型データとして認識し、画像入力ボタンが選択された場合、入力表示部１１４は、ユーザーに画像データを入力させるための画像入力画面１３５を表示し、画像認識部１３６は、該画像データを第三類検索用情報としての文字記号型データとして認識する。
【０１４６】
第四類検索用情報入力ボタンが選択された場合、入力表示部１１４は、ユーザーに第四類検索用情報として音声データを入力させるための音声入力画面１４３を表示する。
【０１４７】
第五類検索用情報入力ボタンが選択された場合、入力表示部１１４は、ユーザーに第五類検索用情報として画像データを入力させるための画像入力画面１３５を表示する。
【０１４８】
次に、フローチャートを参照しながら検索過程を詳しく説明する。
【０１４９】
図２４は、本発明の実施例１における第一類検索情報の検索に係るフローチャートを示す説明図である。
【０１５０】
図２４に示されるように、第一類検索情報を検索するプロセスは下記のようである。
【０１５１】
ステップＳ６−１：ユーザーが第一類検索情報で検索しようとする時、ユーザーが検索方式選択画面１５２の第一類検索用情報入力ボタンを選択した後、ステップＳ６−２に進む。
【０１５２】
ステップＳ６−２：入力表示部１１４は、ユーザーに入力方式を選択させるための入力方式選択画面１５３を表示する。文字記号入力ボタンが選択された場合、ステップＳ６−３に入り、音声入力ボタンが選択された場合、ステップＳ６−４に入り、画像入力ボタンが選択された場合、ステップＳ６−５に進む。
【０１５３】
ステップＳ６−３：入力表示部１１４は、ユーザーが第一類検索用情報としての文字記号型データを入力するための文字入力画面１３０を表示し、ステップＳ６−６に進む。
【０１５４】
ステップＳ６−４：入力表示部１１４は、ユーザーに音声データを入力させるための音声入力画面１４３を表示し、音声認識部１３２は該音声データを第一類検索用情報としての文字記号型データとして認識し、ステップＳ６−６に進む。
【０１５５】
ステップＳ６−５：入力表示部１１４は、ユーザーに画像データを入力させるための画像入力画面１３５を表示し、画像認識部１３６は、該画像データを第一類検索用情報としての文字記号型データとして認識し、ステップＳ６−６に進む。
【０１５６】
ステップＳ６−６：ユーザー側通信部１１５は第一類検索用情報及び現在ページ画像をクラウドサーバー１０１に対応付けて送信し、ステップＳ６−７に進む。
【０１５７】
ステップＳ６−７：サーバー側通信部１０９はユーザー端末１１１から第一類検索用情報を受信し、ステップＳ６−８に進む。
【０１５８】
ステップＳ６−８：検索部１０８が検索情報記憶部１０７で検索し、第一類検索用情報に一致する第一類検索情報及び対応するページ属性情報を取得し、且つ該ページ属性情報に基づいてページ画像記憶部１０６で検索して、対応のページ画像を取得する。
【０１５９】
第一類検索情報を検索する過程はこれで完了となる。
【０１６０】
第二類検索情報に対して検索を行うプロセスは、第三類検索情報に対して検索を行うプロセス、及び、第一類検索情報に対して検索を行うプロセス、と同じである。
【０１６１】
図２５は、本発明の実施例１における第四類検索情報の検索に係るフローチャートを示す説明図である。
【０１６２】
図２５に示されるように、第四類検索情報を検索するプロセスは下記の通りである。
【０１６３】
ステップＳ７−１：ユーザーが第四類検索情報で検索しようとする時、ユーザーが検索方式選択画面１５２の第四類検索用情報入力ボタンを選択した後、ステップＳ７−２に進む。
【０１６４】
ステップＳ７−２：入力表示部１１４は、ユーザーに第四類検索用情報として音声データを入力させるための音声入力画面１４３を表示し、ステップＳ７−３に進む。
【０１６５】
ステップＳ７−３：ユーザー側通信部１１５は第四類検索用情報をクラウドサーバー１０１に送信し、ステップＳ７−４に進む。
【０１６６】
ステップＳ７−４：サーバー側通信部１０９はユーザー端末１１１から第四類検索用情報を受信し、ステップＳ７−５に進む。
【０１６７】
ステップＳ７−５：検索部１０８が検索情報記憶部１０７で検索し、第四類検索用情報に一致する第四類検索情報及び対応するページ属性情報を取得し、且つ該ページ属性情報に基づいてページ画像記憶部１０６で検索して、対応のページ画像を取得する。
【０１６８】
第四類検索情報を検索する過程はこれで完了となる。
【０１６９】
図２６は、本発明の実施例１における第五類検索情報の検索に係るフローチャートを示す説明図である。
【０１７０】
図２６に示されるように、第五類検索情報を検索するプロセスは下記の通りである。
【０１７１】
ステップＳ８−１：ユーザーが第五類検索情報で検索しようとする時、ユーザーが検索方式選択画面１５２の第五類検索用情報入力ボタンを選択した後、ステップＳ８−２に進む。
【０１７２】
ステップＳ８−２：入力表示部１１４は、ユーザーに第五類検索用情報として画像データを入力させるための画像入力画面１３５を表示し、ステップＳ８−３に進む。
【０１７３】
ステップＳ８−３：ユーザー側通信部１１５は第五類検索用情報をクラウドサーバー１０１に送信し、ステップＳ８−４に進む。
【０１７４】
ステップＳ８−４：サーバー側通信部１０９はユーザー端末１１１から第五類検索用情報を受信し、ステップＳ８−５に進む。
【０１７５】
ステップＳ８−５：検索部１０８が検索情報記憶部１０７で検索し、第五類検索用情報に一致する第五類検索情報及び対応するページ属性情報を取得し、且つ該ページ属性情報に基づいてページ画像記憶部１０６で検索して、対応のページ画像を取得する。
【０１７６】
第五類検索情報を検索する過程はこれで完了となる。
【０１７７】
図２７は、本発明の実施例１における検索結果画面を示す説明図である。
【０１７８】
図２７に示されるように、検索結果画面１５４は検索結果リストを有する。検索部１０８が、検索用情報に一致する検索情報が存在すると決定した場合、入力表示部１１４は、検索結果リストをユーザーに表示するための検索結果画面１５４を表示する。図２７に示されるように、検索結果リストに、画像ファイルの名称、作者、入力された検索用情報に一致する検索情報を含むページ画像のページ番号などが含まれる。検索結果リストはページ画像に付加された他の検索情報をさらに表示する。検索部１０８が、検索用情報に一致する検索情報が存在しないと決定した場合、入力表示部１１４は「一致する結果は発見していない」のダイアログを表示する。検索結果リストにおける任意検索結果が選択された場合、入力表示部１１４はページ画像通知画面１１９を表示して、選択されたページ画像の内容をユーザーに知らせる。その時、ページ画像通知画面１１９において、選択されたページ画像のサムネイルは、選択されていないページ画像のサムネイルと区別可能に表示される。図５に示されるように、選択されたページ画像のサムネイルは、外枠太罫線で選択されていないページ画像のサムネイルと区別可能に表示される。
【０１７９】
本実施例において、ユーザー端末１０２とスキャンアップロードデバイス１０４は分かれているが、ユーザー端末は、スキャンアップロードデバイスを含むことで、該スキャンアップロードデバイスのすべての機能を備えることができ、同様に本発明を実現することができる。
【０１８０】
＜実施例の作用及び効果＞
本発明のクラウドサーバー及び画像ファイル記憶検索システムの場合、ユーザー端末の入力表示部にはユーザーに現在表示されたページ画像に検索情報を付加させるためのページ画像通知画面が表示されており、ユーザー側通信部は、検索情報を現在表示されたページ画像とを対応付けした上でクラウドサーバーに送信し、クラウドサーバーの付加制御部は、受信した検索情報を、対応のページ画像に付加する仕組みになっているため、ユーザーは検索する際に、予め入力された検索情報で画像ファイルを構成するページ画像を直接検索することができ、検索効率の向上に役立つことができる。
【０１８１】
実施例１において、第五類検索情報は、画像データを入力して検索を行うが、画像分類を通して検索を行うことも可能である。
【０１８２】
ユーザーが画像入力画面１３５で画像データを入力した後、入力表示部１１４は、「該画像を画像分類表に付加するか」のダイアログをさらに表示することができ、ユーザーが、該画像を画像分類表に付加するのを認可した場合、入力表示部１１４が画像分類付加画面を表示する。
【０１８３】
図２８は、本発明の変形例における画像分類付加画面を示す説明図である。
【０１８４】
図２８に示されるように、画像分類付加画面１６０が画面記憶部１１３の中に記憶され、複数の画像分類選択肢を含み、ユーザーが入力画像を需要にしたがっていずれかの画像分類の中に付加することができる。図２８に示されるように、ユーザーが入力された画像データを「ファイナンス」分類に付加した場合、「ファイナンス」類を選択し、付加制御部１５０が第五類検索情報を「ファイナンス」類に付加し、且つ検索情報記憶部１０７を制御して、該第五類検索情報と「ファイナンス」類とを対応付けて記憶する。
【０１８５】
検索の際、ユーザーは検索方式選択画面１５２の第五類検索用情報入力ボタンを選択し、入力表示部１１４は画像分類検索画面１６１を表示する。
【０１８６】
図２９は、本発明の変形例における画像分類検索画面を示す説明図である。
【０１８７】
図２９に示されるように、画像分類検索画面１６１は画面記憶部１１３の中に記憶され、複数の画像分類、例えば「風景」、「人物」など、を含む。ユーザーにより付加された画像データはこれらの画像分類の中に含まれる。該画像分類検索画面１６１の左右両側の矢印記号により、前のページ又は後のページを選択することができる。図２９に示されるように、ユーザーが「ファイナンス」類における画像データをプレビューしようとする際、「ファイナンス」類を選択すると入力表示部１１４が画像プレビュー画面を表示する。
【０１８８】
図３０は、本発明の変形例における画像閲覧画面を示す説明図である。
【０１８９】
図３０に示されるように、画像プレビュー画面１６２は、画面記憶部１１３の中に記憶され、ある画像分類下の複数枚の画像を含む。ユーザーがある画像を選択した場合、入力表示部１１４は、該画像に対応するページ画像のページ画像通知画面１１９を表示し、該ページ画像の内容をユーザーに知らせる。
【０１９０】
＜変形例の作用及び効果＞
該変形例は、画像分類を用いて入力された画像データに対して付加及び検索を行うため、ユーザーが画像データの内容を直接プレビューすることができ、該検索は直観的、かつ簡単であり、コンピュータ初心者に適している。
【図１】
2015032309.tif 000003
【図２】
2015032309.tif 000004
【図３】
2015032309.tif 000005
【図４】
2015032309.tif 000006
【図５】
2015032309.tif 000007
【図６】
2015032309.tif 000008
【図７】
2015032309.tif 000009
【図８】
2015032309.tif 000010
【図９】
2015032309.tif 000011
【図１０】
2015032309.tif 000012
【図１１】
2015032309.tif 000013
【図１２】
2015032309.tif 000014
【図１３】
2015032309.tif 000015
【図１４】
2015032309.tif 000016
【図１５】
2015032309.tif 000017
【図１６】
2015032309.tif 000018
【図１７】
2015032309.tif 000019
【図１８】
2015032309.tif 000020
【図１９】
2015032309.tif 000021
【図２０】
2015032309.tif 000022
【図２１】
2015032309.tif 000023
【図２２】
2015032309.tif 000024
【図２３】
2015032309.tif 000025
【図２４】
2015032309.tif 000026
【図２５】
2015032309.tif 000027
【図２６】
2015032309.tif 000028
【図２７】
2015032309.tif 000029
【図２８】
2015032309.tif 000030
【図２９】
2015032309.tif 000031
【図３０】
2015032309.tif 000032